(57)【要約】【課題】系統監視盤表示サーバが故障した場合においてもモニタリング表示を行うことができ、適切な系統操作を行うことができる系統監視盤表示装置を提供することである。【解決手段】系統表示情報を表示する複数の表示器１４を有した系統監視盤１５と、系統表示情報の映像信号を表示器１４に伝送するための系統監視盤表示クライアント２３と、系統監視盤１５の複数の表示器１４に系統監視盤表示クライアント２３を介して系統表示情報の映像信号を供給する系統監視盤表示サーバ１１と、系統監視盤表示サーバ１１から伝送される系統表示情報の映像信号を系統監視盤１５の各々の表示器１４に対応した系統監視盤表示クライアント２３に分別して伝送するためのネットワーク網２２とを備える。【選択図】  図１
2010127959.tif 000002
【特許請求の範囲】
【請求項１】
系統表示情報を表示する複数の表示器を有した系統監視盤と、前記系統表示情報の映像信号を前記表示器に伝送するための系統監視盤表示クライアントと、前記系統監視盤の複数の表示器に前記系統監視盤表示クライアントを介して系統表示情報の映像信号を供給する系統監視盤表示サーバと、前記系統監視盤表示サーバから伝送される系統表示情報の映像信号を前記系統監視盤の各々の表示器に対応した前記系統監視盤表示クライアントに分別して伝送するためのネットワーク網とを備えたことを特徴とする系統監視盤表示装置。
【請求項２】
冗長化された前記系統監視盤クライアントからの映像信号を切り替えてどちらか一方のみを一つの表示器に伝送する映像切替スイッチを設けたこと特徴とする請求項１記載の系統監視盤表示装置。
【請求項３】
前記系統監視盤表示クライアントは、前記ネットワーク網に接続された一般サーバからの系統表示情報の映像信号を前記表示器に伝送することを特徴とする請求項１記載の系統監視盤表示装置。
【請求項４】
操作卓の静止画像のアナログ映像信号をデジタル映像信号に変換し画面情報として保存するとともに監視カメラの動画情報をアナログ画像情報のデジタル映像信号に変換する画像キャプチャ装置と、前記画像キャプチャ装置より伝送された映像信号を画面情報に変換し保存するとともに保存した画面情報を映像信号として前記系統監視盤表示サーバを介して前記系統監視盤表示クライアントに配信する画像処理サーバとを備えたことを特徴とする請求項１記載の系統監視盤表示装置。
【請求項５】
前記系統監視盤表示クライアントと前記画像キャプチャ装置とをネットワーク網間に実装し、操作卓間での系統表示情報のモニタリングをネットワーク網を介して行うことを特徴とする請求項４記載の系統監視盤表示装置。
【発明の詳細な説明】
【技術分野】
【０００１】
本発明は、電力系統の監視制御を行う電気所に設置される系統監視盤の表示器に系統表示情報を表示する系統監視盤表示装置に関する。
【背景技術】
【０００２】
電力系統の監視制御を行う給電指令所を始めとする系統制御所、集中制御所、変電所などの指令室、訓練室などの電気所に設置される系統監視盤には、電力系統の系統表示情報が表示される。
【０００３】
図９は、従来の系統監視盤表示装置の一例を示すハードウェア構成図である。系統監視盤表示サーバ１１に実装されたビデオグラフィックアダプタ１２から出力される系統表示情報を映像ケーブル１３を経由して指令室に設置した複数の表示器１４ａ〜１４ｄを有したマルチモニタ構成の系統監視盤１５に表示する。このように、系統監視盤表示サーバ１１が持つ拡張スロット数の制限により１枚のビデオグラフィックアダプタ１２で複数の表示器１４ａ〜１４ｄに対して系統表示情報を出力する表示方式を採用している。
【０００４】
図１０は、従来の系統監視盤表示装置に冗長性を持たせた場合の一例のハードウェア構成図である。系統監視盤表示サーバ１１ａに実装されたビデオグラフィックアダプタ１２ａから出力される系統表示情報は、映像ケーブル１３を経由して映像切替スイッチ１６ａ〜１６ｄに受け渡し、また系統監視盤表示サーバ１１ａと同様のハードウェア構成を持つ系統監視盤表示サーバ１１ｎに実装されたビデオグラフィックアダプタ１２ｎから出力される系統表示情報を映像ケーブル１３を経由して映像切替スイッチ１６ａ〜１６ｄに受け渡す。これらの系統表示情報のうち、映像切替スイッチ１６ａ〜１６ｄにより選択された系統表示情報を指令室に設置したマルチモニタ構成の系統監視盤１５の表示器１４ａ〜１４ｄに表示する。
【０００５】
図１１は、従来の系統監視盤表示装置において外部入力映像をモニタリング表示する場合の一例のハードウェア構成図である。複数の操作卓１７ａ〜１７ｎが出力する系統表示情報は、映像分配器１８ａ〜１８ｎにより映像ケーブル１３を経由して自卓のモニタ１９ａ〜１９ｎと映像マトリクススイッチャ２０に分配入力される。映像マトリクススイッチャ２０に入力された表示情報は、映像マトリクススイッチャ２０によりスイッチング出力され、系統監視盤１５の表示器１４ａ〜１４ｄ、モニタリング用表示器２１ａ、２１ｎに表示される。
【０００６】
マルチ画面表示装置において、全体画面発生手段と各表示制御手段との間に全体画面縮小分配手段と縮小設定手段を設け、縮小画面を健全な表示制御手段と表示手段との組合せ部分に分配することができるようにし、一部の表示手段が保守または故障等の理由で停止している場合でも、必要な画面全体を漏れなく表示し、情報の欠落を無くすることができるようにしたものがある（例えば、特許文献１参照）。
【特許文献１】特開平８−６５３２号公報
【発明の開示】
【発明が解決しようとする課題】
【０００７】
しかし、図９に示す従来の系統監視盤表示装置では、系統監視盤表示サーバ１１が持つ拡張スロット数の制限により１枚のビデオグラフィックアダプタ１２で複数の表示器に対して系統表示情報を出力しているため、系統監視盤表示サーバ１１が正常状態であってもビデオグラフィックアダプタ１２の故障により、同時に複数の表示器で系統表示情報が表示されなくなり、電力系統運用に重大な支障が生じる。
【０００８】
従来の系統監視盤表示装置において系統監視盤の表示信頼性を向上させる手段として、ビデオグラフィックアダプタ１２のみの冗長化には拡張スロット数の制限により物理的限界があるため、図１０に示すように系統監視盤表示サーバ１１ａ〜１１ｎというように複数台設置し冗長化する必要がある。また、図９に示す系統監視盤表示サーバ１１のハードウェア構成要件としてビデオグラフィックアダプタ１２の実装は必須条件となるため、他の計算機サーバでその代替を行うことは不可能であり、系統監視盤表示サーバ１１に故障が発生した状況では、電力系統運用の信頼性が失われた状態での運転となる。
【０００９】
また、全ての系統監視盤表示サーバ１１が故障した場合、その間の系統表示情報はどこにも表示されないため、電力系統監視の面で問題を抱え、電力供給支障を発生させる可能性がある。
【００１０】
また、図１１に示す操作卓１７を始めとする外部映像入力のモニタリング構成は、映像マトリクススイッチャ２０の入出力点数の制限により映像をモニタリング表示できる表示器が限られるため、故障電力系統運用の信頼性が失われた状態での運転となる。
【００１１】
本発明の目的は、系統監視盤表示サーバが故障した場合においてもモニタリング表示を行うことができ、適切な系統操作を行うことができる系統監視盤表示装置を提供することである。
【課題を解決するための手段】
【００１２】
本発明の系統監視盤表示装置は、系統表示情報を表示する複数の表示器を有した系統監視盤と、前記系統表示情報の映像信号を前記表示器に伝送するための系統監視盤表示クライアントと、前記系統監視盤の複数の表示器に前記系統監視盤表示クライアントを介して系統表示情報の映像信号を供給する系統監視盤表示サーバと、前記系統監視盤表示サーバから伝送される系統表示情報の映像信号を前記系統監視盤の各々の表示器に対応した前記系統監視盤表示クライアントに分別して伝送するためのネットワーク網とを備えたことを特徴とする。
【発明の効果】
【００１３】
本発明によれば、系統監視盤表示サーバが故障した場合においてもモニタリング表示を行うことができ、適切な系統操作を行うことができる。
【発明を実施するための最良の形態】
【００１４】
図１は本発明の第１の実施の形態に係わる系統監視盤表示装置の構成図である。この第１の実施の形態は、図９に示した従来例に対し、系統監視盤表示サーバ１１からビデオグラフィックカードを分離し、系統監視盤表示クライアント２３ａ〜２３ｎに設けるようにしたものである。
【００１５】
図１において、系統監視盤表示サーバ１１は、系統監視盤１５の複数の表示器１４ａ〜１４ｎに系統表示情報を表示するための映像データサーバであり、ネットワーク網２２に接続される。ネットワーク網２２は、系統監視盤表示サーバ１１から伝送される映像信号を複数の表示器１４ａ〜１４ｎの各々対応した系統監視盤表示クライアント２３ａ〜２３ｎに分別して伝送するための映像信号分別器である。ネットワーク網２２は、一般的な公衆ネットワークや専用ネットワークで構成される。
【００１６】
系統監視盤表示クライアント２３ａ〜２３ｎは、入力された系統表示情報を表示器１４ａ〜１４ｎに伝送するための映像クライアント端末であり、ビデオグラフィックカードの機能も実装している。また、系統監視盤１５の表示器１４ａ〜１４ｎは、映像信号ケーブル２４を介して系統監視盤表示クライアント２３ａ〜２３ｎと接続されており、系統監視盤表示クライアント２３ａ〜２３ｎより映像信号を受信して系統表示情報を表示する。
【００１７】
このように構成された第１の実施の形態において、系統監視盤表示サーバ１１から伝送される映像信号は、ネットワーク網２２を介して複数の系統監視盤表示クライアント２３ａ〜２３ｎへ各々分割して伝送される。系統監視盤表示クライアント２３ａ〜２３ｎが入力する映像信号は、対応した表示器１４ａ〜１４ｎの映像信号単位で系統監視盤表示サーバ１１より伝送される。
【００１８】
図２は第１の実施の形態における分割された映像信号の一例の構成図である。系統監視盤表示サーバ入力映像信号は、表示器１４ａ〜１４ｎ全体の映像信号である。系統監視盤表示サーバ１１は、この系統監視盤表示サーバ入力映像信号を表示器１４ａ〜１４ｄへの画面１〜４の４つの映像信号に分割し伝送する。
【００１９】
図３は、表示器１４ａ〜１４ｎ全体の映像情報を表示器１４ａ〜１４ｄの画面１〜４に分割した映像信号の管理表の説明図である。画面名称の画面１、画面２、画面３、画面４は表示器１４ａ、表示器１４ｂ、表示器１４ｃ、表示器１４ｄに対応するものであり、対応付けされた映像信号を映像信号名称として各々管理する。
【００２０】
系統監視盤表示クライアント２３ａ〜２３ｎは、伝送された映像信号を受信し、系統監視盤表示クライアント２３ａ〜２３ｎに内蔵されているビデオグラフィックカードにて、映像信号を表示器１４ａ〜１４ｎが入力可能な映像信号に変換する。変換された映像信号は、映像信号ケーブル２４を介して表示器１４ａ〜１４ｎに送出される。
【００２１】
このように、１台の系統監視盤表示サーバ１１において、複数台の表示器１４ａ〜１４ｄに対して物理的制約を受けることなく系統表示情報を全ての表示器１４ａ〜１４ｄに表示できる。すなわち、系統監視盤表示サーバ１１から複数台の系統監視盤表示クライアント２３ａ〜２３ｎに対して系統表示情報を送出する。系統監視盤表示クライアント２３ａ〜２３ｎは、映像信号ケーブル２４で接続された表示器１４ａ〜１４ｎに系統表示情報を送出する。
【００２２】
第１の実施の形態によれば、系統監視盤表示サーバ１１からビデオグラフィックカードを分離し、系統監視盤表示クライアント２３ａ〜２３ｎに設けることにより、ビデオグラフィックカード障害時の表示不可部位を限定化させることができるため、表示器１４ａ〜１４ｎの複数箇所の同時表示不良の発生を防ぐことができる。また、ビデオグラフィックカード障害復旧時は、障害が発生した系統盤監視表示クライアント２３のみをシステムから切り離すことが可能であるため、健全な表示器１４ａ〜１４ｎの表示を継続させることができ、運用者への負担、制約を最小限とすることができる。さらに、系統監視盤表示サーバ１１が１台であっても、ビデオグラフィックカードの出力数などの物理的制限なく複数の系統監視クライアント１２に系統表示情報を送出することができる。
【００２３】
図４は本発明の第２の実施の形態に係わる系統監視盤表示装置の構成図である。この第２の実施の形態は、図１に示した第１の実施の形態に対し、冗長化された系統監視盤クライアント２３ａ１、２３ａ２〜２３ｎ１、２３ｎ２からの映像信号を切り替えてどちらか一方のみを表示器１４ａ〜１４ｎに伝送する映像切替スイッチ２５ａ〜２５ｎを設けたものである。映像切替スイッチ２５ａ〜２５ｎは系統監視盤表示サーバ１１で切り替えられる。図１と同一要素には同一符号を付し重複する説明は省略する。
【００２４】
図４において、各々の表示器１４ａ〜１４ｎに対して、系統監視盤クライアント２３を２個一組とした冗長構成としている。系統監視盤表示クライアント２３ａ１、２３ａ２〜２３ｎ１、２３ｎ２と表示器１４ａ〜１４ｎとの間に、映像切替スイッチ２５ａ〜２５ｎを追加した構成としている。
【００２５】
映像切替スイッチ２５ａ〜２５ｎは、冗長化された系統監視盤クライアント２３ａ１、２３ａ２〜２３ｎ１、２３ｎ２からの映像信号のどちらか一方のみを表示器１４ａ〜１４ｎに伝送する機器である。
【００２６】
系統監視盤表示サーバ１１から映像信号を伝送中の系統監視盤表示クライアント２３ａ１〜２３ｎ１が故障した場合、系統監視盤表示サーバ１１は、もう一方の系統監視盤表示クライアント２３ａ２〜２３ｎ２に対して映像信号を送出する。系統監視盤表示サーバ１１は映像信号の送出先切替要求を映像切替信号Ｓの出力により映像切替スイッチ２５ａ〜２５ｎに対して行う。
【００２７】
第２の実施の形態によれば、冗長化した系統監視盤表示クライアント２３ａ１、２１ａ２〜２３ｎ１、２１ｎ２とし、映像切替スイッチ２５ａ〜２５ｎを設け、系統監視盤表示サーバ１１から表示器１４ａ〜１４ｎに送出する映像信号を切替えることにより、冗長化した系統監視盤表示クライアント２３ａ１、２１ａ２〜２３ｎ１、２１ｎ２のどちらか一方に障害が発生した場合でも、健全な系統監視盤表示クライアント２３ａ〜２３ｎにて映像信号の送出を継続できるため、表示器１４ａ〜１４ｎの長期表示不良を防ぐことができる。
【００２８】
図５は本発明の第３の実施の形態に係わる系統監視盤表示装置の構成図である。この第３の実施の形態は、図１に示した第１の実施の形態に対し、系統監視盤表示クライアント２３ａ〜２３ｎは、ネットワーク網２２に接続された一般サーバ２６ａ〜２６ｃからの系統表示情報の映像信号も表示器１４ａ〜１４ｄに伝送するようにしたものである。図１と同一要素には同一符号を付し重複する説明は省略する。
【００２９】
図５において、一般サーバ２６ａ〜２６ｃは、系統監視制御システムに用いられるサーバ機能を有した監視制御用計算機である。映像処理に特化しない系統監視盤表示サーバ１１と同様に、ネットワーク網２２に接続される一般サーバ１５から映像信号を系統監視盤表示クライアント２３ａ〜２３ｎおよび映像信号ケーブル２４を経由し表示器１４ａ〜１４ｎに送出する。
【００３０】
第３の実施の形態によれば、系統監視盤表示処理を実装した系統監視盤表示サーバ１１以外の一般サーバ２６ａ〜２６ｃにおいても、ネットワーク網２２を介して、系統監視盤表示クライアント２３ａ〜２３ｎ経由で表示器１４ａ〜１４ｎに系統表示情報を表示することができる。
【００３１】
図６は本発明の第４の実施の形態に係わる系統監視盤表示装置の構成図である。この第４の実施の形態は、図１に示した第１の実施の形態に対し、操作卓１７ａ〜１７ｎの静止画像のアナログ映像信号をデジタル映像信号に変換し画面情報として保存するとともに監視カメラ２７ａ〜２７ｍの動画情報をアナログ画像情報のデジタル映像信号に変換する画像キャプチャ装置２８ａ〜２８ｎ、２９ａ〜２９ｍと、画像キャプチャ装置２８ａ〜２８ｎ、２９ａ〜２９ｍより伝送された映像信号を画面情報に変換し保存するとともに保存した画面情報を映像信号として系統監視盤表示サーバ１１を介して系統監視盤表示クライアント２３ａ〜２３ｎに配信する画像処理サーバ３０とを設けたものである。図１と同一要素には、同一符号を付し重複する説明は省略する。
【００３２】
図６において、操作卓１７ａ〜１７ｎは、外部入力の静止画タイプのアナログ映像信号送出先となる計算機である。監視カメラ２７ａ〜２７ｍは、外部入力の動画タイプのアナログ映像信号送出先となる映像装置である。画像キャプチャ装置２８ａ〜２８ｎは、操作卓１７ａ〜１７ｎのアナログ映像信号をデジタル映像信号に変換し保存する装置でありＷＥＢサーバ機能を有する。同様に、画像キャプチャ装置２９ａ〜２９ｍは、監視カメラ２７ａ〜２７ｍのアナログ映像信号をデジタル映像信号に変換し保存する装置でありＷＥＢサーバ機能を有する。操作卓１７ａ〜１７ｎおよび監視カメラ２７ａ〜２７ｍの映像信号は、映像信号ケーブル３３を介して画像キャプチャ装置２８ａ〜２８ｎ、２９ａ〜２９ｍに入力される。
【００３３】
次に、画像処理サーバ３０は、画像キャプチャ装置２８ａ〜２８ｎ、２９ａ〜２９ｍからネットワーク網３１を介して受信した映像信号を静止画像として保存し、保存した静止画像をネットワーク網３２を介して系統監視盤表示サーバ１１に送信するものであり、ＷＥＢブラウザ機能を有する。そして、画像処理サーバ３０からの静止画像は、系統監視盤表示サーバ１１から系統監視盤表示クライアント２３ａ〜２３ｎを介して表示器１４ａ〜１４ｎに表示される。このように、ＷＥＢサーバ機能を有した画像キャプチャ装置２８ａ〜２８ｎ、２９ａ〜２９ｍを実装することにより、外部入力された動画・静止画像情報を各種ＷＥＢブラウザに表示できる。
【００３４】
すなわち、画像キャプチャ装置２８ａ〜２８ｎ、２９ａ〜２９ｍは操作卓１７ａ〜１７ｎの静止画像のアナログ映像信号をデジタル映像信号に変換し画面情報として保存する。変換した画面情報の保存周期は設定により可変とする。画像キャプチャ装置２８ａ〜２８ｎ、２９ａ〜２９ｍは、ＷＥＢサーバ機能により、保存した画面情報を映像信号としてネットワーク網３１を介して画像処理サーバ３０に伝送する。画像処理サーバ３０は、ＷＥＢブラウザ機能により画像キャプチャ装置２８ａ〜２８ｎ、２９ａ〜２９ｍより伝送された映像信号を画面情報に変換し保存する。保存した画面情報は、映像信号として、系統監視盤表示サーバ１１を介して系統監視盤表示クライアント２３ａ〜２３ｎを経由にて表示器１４ａ〜１４ｎに表示される。
【００３５】
また、画像キャプチャ装置２８ａ〜２８ｎ、２９ａ〜２９ｍは監視カメラ２７ａ〜２７ｍの動画情報をアナログ画像情報のデジタル映像信号への変換とＷＥＢサーバ機能による短周期での画像処理サーバ３０への映像信号伝送とを実行する。短周期での映像信号伝送を実行することにより、表示器１４ａ〜１４ｎでは監視カメラ２７ａ〜２７ｍの映像と同等の映像を動画イメージとして表示することができる。
【００３６】
ここで、画像処理サーバ３０に動画・静止画の蓄積機能を持たせることにより、各々のＷＥＢブラウザに時間軸の異なる録画、Ｌｉｖｅ映像を表示するようにすることも可能である。画像キャプチャ装置２８ａ〜２８ｎ、２９ａ〜２９ｍが操作卓１７ａ〜１７ｎまたは監視カメラ２７ａ〜２７ｍのアナログ映像信号を映像信号ケーブル３３を介して取り込む。取り込んだ動画・静止画像情報は、ネットワーク網３１を介して画像処理サーバ３０に蓄積・保存する。その蓄積は、各々の操作卓１７ａ〜１７ｎに対応した画像キャプチャ装置２８ａ〜２８ｎ単位で行うことを可能とする。画像処理サーバ３０に蓄積・保存された、動画・静止画像情報は、ネットワーク網３２を介して系統監視盤表示サーバ１１で個々のＷＥＢブラウザに任意に選択し表示する。系統監視盤表示サーバ１１に表示した個々のＷＥＢブラウザ画面は、ネットワーク網２２を介して、系統監視盤表示クライアント２３ａ〜２３ｎへ通知し、系統監視盤表示クライアント２３ａ〜２３ｎのビデオグラフィックカードから映像信号ケーブル２４を介して表示器１４ａ〜１４ｎへ表示される。
【００３７】
図７は、画像処理サーバ３０に蓄積保存される画像情報の蓄積手段の構成図である。ＷＥＢブラウザ単位に画像情報の蓄積、再生、消去の指示情報を持ち、ＷＥＢサーバ機能を有するサーバにて操作を行う。
【００３８】
第４の実施の形態によれば、画像キャプチャ装置２８ａ〜２８ｎ、２９ａ〜２９ｍを外部入力部に接続することにより、静止画・動画をとわずに画像情報を表示器１４ａ〜１４ｎに表示することができる。また、画像処理サーバ３０に画像情報を保存することにより、動画の再生が可能となり、運用者が見過ごした画面についても、再生にて確認することができる。また、画像処理サーバ３０が画像キャプチャ装置２８ａ〜２８ｎ、２９ａ〜２９ｍ経由で操作卓１７ａ〜１７ｎおよび監視カメラ２７ａ〜２７ｍの動画・静止画像情報を任意に選択して取り込むことにより、ネットワーク網３１を介して接続されている各種サーバ（画像処理サーバ３０、系統監視盤表示サーバ１１）のＷＥＢブラウザに時間軸の異なる録画、Ｌｉｖｅ映像を表示することができる。
【００３９】
図８は本発明の第５の実施の形態に係わる系統監視盤表示装置の構成図である。この第５の実施の形態は、図７に示した第４の実施の形態に対し、系統監視盤表示クライアント２３ａ〜２３ｎと画像キャプチャ装置２８ａ〜２８ｎとをネットワーク網３４間に実装したものである。
【００４０】
図８において、操作卓１７ａ〜１７ｎは、系統表示情報をネットワーク網３４を介して取り込み表示器１４ａ〜１４ｎに表示する。系統監視盤表示クライアント２３ａ〜２３ｎは、ネットワーク網３１と画像キャプチャ装置２８ａ〜２８ｎとの間に接続される。画像キャプチャ装置２８ａ〜２８ｎは、系統監視盤表示クライアント２３ａ〜２３ｎとネットワーク網３５の間に接続される。表示器１４ａ〜１４ｎは、画像キャプチャ装置２８ａ〜２８ｎより映像信号ケーブル２４にて接続される。
【００４１】
このように構成された第５の実施の形態において、物理的な映像信号切替装置を用いることなく、画像キャプチャ装置２８ａ〜２８ｎと系統監視盤表示クライアント２３ａ〜２３ｎとを操作卓１７ａ〜１７ｎ単位に実装することにより、他卓の系統表示情報を自卓の表示器１４ａ〜１４ｎに表示することができる。
【００４２】
第５の実施の形態によれば、画像キャプチャ装置２８ａ〜２８ｎと系統監視盤表示クライアント２３ａ〜２３ｎとを操作卓１７ａ〜１７ｎ単位に実装することにより、映像信号切替装置を用いる必要がなくなるため、映像切替に必要な信号数の映像信号ケーブルを用いることなく、操作卓１７ａ〜１７ｎのモニタリングを行うことができる。
【図面の簡単な説明】
【００４３】
【図１】本発明の第１の実施の形態に係わる系統監視盤表示装置の構成図。
【図２】本発明の第１の実施の形態における分割された映像信号の一例の構成図。
【図３】本発明の第１の実施の形態における表示器全体の映像情報を複数の表示器の画面に分割した映像信号の管理表の説明図。
【図４】本発明の第２の実施の形態に係わる系統監視盤表示装置の構成図。
【図５】本発明の第３の実施の形態に係わる系統監視盤表示装置の構成図。
【図６】本発明の第４の実施の形態に係わる系統監視盤表示装置の構成図。
【図７】本発明の第４の実施の形態における画像処理サーバに蓄積保存される画像情報の蓄積手段の構成図。
【図８】本発明の第５の実施の形態に係わる系統監視盤表示装置の構成図。
【図９】従来の系統監視盤表示装置の一例を示すハードウェア構成図。
【図１０】従来の系統監視盤表示装置に冗長性を持たせた場合の一例のハードウェア構成図。
【図１１】従来の系統監視盤表示装置において外部入力映像をモニタリング表示する場合の一例のハードウェア構成図。
【符号の説明】
【００４４】
１１…系統監視盤表示サーバ、１２…ビデオグラフィックアダプタ、１３…映像ケーブル、１４…表示器、１５…系統監視盤、１６…映像切替スイッチ、１７…操作卓、１８…映像分配器、１９…モニタ、２０…映像マトリクススイッチャ、２１…モニタリング用表示器、２２…ネットワーク網、２３…系統監視盤表示クライアント、２４…映像信号ケーブル、２５…映像切替スイッチ、２６…一般サーバ、２７…監視カメラ、２８、２９…画像キャプチャ装置、３０…画像処理サーバ、３１、３２…ネットワーク網、３３…映像信号ケーブル、３４、３５…ネットワーク網
【図１】
2010127959.tif 000003
【図２】
2010127959.tif 000004
【図３】
2010127959.tif 000005
【図４】
2010127959.tif 000006
【図５】
2010127959.tif 000007
【図６】
2010127959.tif 000008
【図７】
2010127959.tif 000009
【図８】
2010127959.tif 000010
【図９】
2010127959.tif 000011
【図１０】
2010127959.tif 000012
【図１１】
2010127959.tif 000013